【事件の表示】
　特願２０１１−　３５４６３「画素、これを利用した表示装置、及びその駆動方法」拒絶査定不服審判事件〔平成２４年　７月　５日出願公開、特開２０１２−１２８３８６〕について、次のとおり審決する。
【結　論】
　本件審判の請求は、成り立たない。
【理　由】
１　手続の経緯
　本願は、平成２３年２月２２日（パリ条約による優先権主張　外国庁受理　２０１０年１２月１０日（以下、「優先日」という。）　韓国）の出願であって、平成２７年１月２８日付けの拒絶理由通知に対して平成２７年３月２４日付けで手続補正がなされたが、平成２７年８月２６日付けで拒絶査定がなされ、これに対し、平成２７年１２月９日に拒絶査定不服審判が請求されると同時に手続補正がなされたものである。
２　平成２７年１２月９日付けの手続補正について
（１）補正の概要
　平成２７年１２月９日付けの手続補正（以下、「本件補正」という。）は、特許請求の範囲についてするもので、本件補正前（平成２７年３月２４日付けの手続補正により補正された特許請求の範囲）の請求の範囲の請求項１２、１３に、
ア　「【請求項１２】
　有機発光ダイオード；
　前記有機発光ダイオードに伝達されたデータ信号による駆動電流を伝達する駆動トランジスタ；
　第１走査信号に対応して前記駆動トランジスタに前記データ信号を伝達する第１トランジスタ；
　前記駆動トランジスタのゲート電極に初期化電圧を印加する初期化期間の間に、第２走査信号に対応して前記駆動トランジスタのソース電極に第１電源電圧を印加する第２トランジスタ；及び
　前記駆動トランジスタのゲート電極に接続する第１電極及び前記第１電源電圧に接続する第２電極を含むキャパシタを含む画素。
　　【請求項１３】
　前記初期化期間の間の前記駆動トランジスタのゲート電極の電圧とソース電極の電圧との電圧差は、前記駆動トランジスタを動作させる電圧である、請求項１２に記載の画素。」
とあったものを、
イ　「【請求項１１】
　有機発光ダイオード；
　前記有機発光ダイオードに伝達されたデータ信号による駆動電流を伝達する駆動トランジスタ；
　第１走査信号に対応して前記駆動トランジスタに前記データ信号を伝達する第１トランジスタ；
　前記駆動トランジスタのゲート電極に初期化電圧を印加する初期化期間の間に、第２走査信号に対応して前記駆動トランジスタのソース電極に第１電源電圧を印加する第２トランジスタ；及び
　前記駆動トランジスタのゲート電極に接続する第１電極及び前記第１電源電圧に接続する第２電極を含むキャパシタを含
み、
　前記初期化期間中、前記駆動トランジスタのゲート−ソース電圧差を、前記駆動トランジスタが動作する基準電圧以上の電圧値とする
とする補正を含むものである（下線は、補正箇所を示す。）。
（２）補正の目的
ア　本件補正前の請求項１２を引用する請求項１３を、独立形式で記載すれば、次のとおりである。
「有機発光ダイオード；
　前記有機発光ダイオードに伝達されたデータ信号による駆動電流を伝達する駆動トランジスタ；
　第１走査信号に対応して前記駆動トランジスタに前記データ信号を伝達する第１トランジスタ；
　前記駆動トランジスタのゲート電極に初期化電圧を印加する初期化期間の間に、第２走査信号に対応して前記駆動トランジスタのソース電極に第１電源電圧を印加する第２トランジスタ；及び
　前記駆動トランジスタのゲート電極に接続する第１電極及び前記第１電源電圧に接続する第２電極を含むキャパシタを含み、
　前記初期化期間の間の前記駆動トランジスタのゲート電極の電圧とソース電極の電圧との電圧差は、前記駆動トランジスタを動作させる電圧である、画素。」
イ　本件補正は、初期化電圧及び初期化期間について、本件補正前の請求項１３に「前記初期化期間の間の前記駆動トランジスタのゲート電極の電圧とソース電極の電圧との電圧差は、前記駆動トランジスタを動作させる電圧である」とあった記載を、「前記初期化期間中、前記駆動トランジスタのゲート−ソース電圧差を、前記駆動トランジスタが動作する基準電圧以上の電圧値とする」と明確にし、請求項１１としたものに相当する。
　よって、本件補正は、特許法第１７条の２第５項第１号（請求項の削除）及び第４号（明瞭でない記載の釈明）に掲げる事項を目的とするものに該当する。
３　本願発明
　本願の特許請求の範囲の請求項１ないし２６に係る発明は、本件補正によって補正された特許請求の範囲の請求項１ないし２６に記載された事項により特定されるとおりのものであるところ、請求項１１に係る発明（以下、「本願発明」という。）は、上記「２」（１）「イ」に記載したとおりのものである。
４　引用例
（１）原査定の拒絶の理由で引用された、本願の優先日前に頒布された刊行物である。特開２００９−２１０９９３号公報（以下、「引用例」という。）には、図面とともに、次の事項が記載されている（下線は、当審で付与したものである。）。
「【解決手段】
オフセットキャンセル動作を行う前の、駆動用トランジスタの初期化電圧を、トランジスタのゲート電圧−ドレイン電流特性に合わせて、異なる電圧を印加することで、キャンセル時間が短くても駆動用トランジスタの特性バラツキをキャンセルしやすくする。
「【特許請求の範囲】
【請求項１】
  
ＥＬ素子を有する複数の画素が、縦横にマトリックス状に配置された表示画面を有するＥＬ表示装置において、
  前記画素は、駆動電流を前記ＥＬ素子に供給する駆動用トランジスタを有し、
  前記駆動用トランジスタは、オフセットキャンセル動作を行い、前記オフセットキャンセル動作の前の期間である第１の期間中に前記駆動用トランジスタのゲート電極の電圧を電流により変化させる第１電源を有する、
  ＥＬ表示装置。
【請求項２】
  前記第１の期間の前の期間である第２の期間中に、前記駆動用トランジスタのゲート電極に電圧を印加する第２電源を有する、
  請求項１記載のＥＬ表示装置。」
「【発明の詳細な説明】
【技術分野】
【０００１】
  本発明は、有機または無機エレクトロルミネッセンス（ＥＬ）素子などを用いるＥＬ表示パネル（表示装置）などの自発光表示パネルを用いた、ＥＬ表示装置に関するものである。」
「【０００３】
  有機ＥＬ（ＰＬＥＤ、
ＯＬＥＤ
「【００１９】
  駆動用トランジスタ１１ａは、トランジスタ１１ｃのドレイン電極にソース電極が接続される。閾値電圧補償トランジスタ１１ｂのソースまたはドレイン電極と、コンデンサ１９ａの第１の端子が共通接続され、駆動用トランジスタ１１ａのゲート電圧が決定される。したがって、
駆動用トランジスタ１１ａは、ゲート電極に印加された電圧に相当する駆動電流を生成する。
「【００２４】
  
コンデンサ１９ａは、
第１の電源電圧Ｖｄｄと駆動用トランジスタ１１ａのゲート電極に印加される電圧Ｖｄａｔａ−Ｖｔｈ［Ｖ］の電圧差に該当する電荷を１フレームの間に維持する。
【００２５】
（２）ゲート信号線
  
ゲート信号線１７に印加される電圧は、オフ電圧（ＶＧＨ）とオン電圧（ＶＧＬ）であり、ＶＧＨ電圧の印加により、スイッチ用トランジスタ１１ｂ、１１ｃ、１１ｄ、１１ｅ、１１ｆがオフし、ＶＧＬ電圧の印加により、スイッチ用トランジスタ１１ｂ、１１ｃ、１１ｄ、１１ｅ、１１ｆがオンする。
【００６５】
  初期化トランジスタであるスイッチ用トランジスタ１１ｆは、リセット電圧ラインＶｒｓｔとコンデンサ１９ａの第１の端子との間に接続され、ゲート電極に接続したｎ−１番目
ゲート信号線１７ａのスキャン信号
「【０１２４】
  図３５は
ゲート信号線をトランジスタ１１ｅと１１ｄで個別制御にした回路構成を
１画素において、１フレームは、リセット期間３６１、映像信号書き込みと特性キャンセル期間３６２、非発光期間３６３、発光期間３６４からなる。駆動用トランジスタ１１ａの初期化（リセット）を行う電源が、電圧源３３１、電流源３１２の２つがあり、電圧源３３１が印加されるリセット期間を３６５、電流源３１２が印加されるリセット期間を３６６とする。
リセット期間３６１は電流源３１２から出力される電流を元に駆動用トランジスタ１１ａを初期化し、
ソース信号線１８から映像信号に対応する電圧が供給される
【０１２５】
  本実施形態の方式においては、
駆動用トランジスタ１１ａのゲート電圧の初期化
リセット期間３６１のうちの期間３６５において、
電圧源３３１により駆動用トランジスタ１１ａのゲート電圧をＶｒｓｔに初期化する。このときゲート信号線１７ｅ及び１７ｃによりトランジスタ１１ｅ及び１１ｂについては、オンでもオフでも構わないが、Ｖｄｄ電源からＶｒｓｔ電源に駆動用トランジスタ１１ａの特性により貫通電流が流れることを防止する観点から少なくとも一方のトランジスタについてはオフにすることが好ましい。
リセット期間３６１の間にさらに期間３６６を設け、
電流源３１２により駆動用トランジスタ１１ａの初期化を行う。電流源３１２の電流が駆動用トランジスタ１１ａのドレイン電流となるように、トランジスタ１１ｆ、１１ｂ、１１ｅをオン状態とする。電流源３１２の電流値は、期間３６６において、駆動用トランジスタ１１ａのゲート電圧が電圧源３３１のＶｒｓｔ付近になるような電圧に設定することが好ましい。
【０１２６】
　
映像信号書き込みと特性キャンセル期間３６２においてソース信号線１８から映像信号が入力され、トランジスタ１１ｂがオン状態であり、トランジスタ１１ｆがオフ状態であることで、駆動用トランジスタ１１ａのゲート電圧は映像信号電圧をＶｓとするとＶｓ−Ｖｔｈ（Ｖｔｈは閾値電圧）となるまで変化する。
「【０１２９】
  図４０に異なる電流−電圧特性を持つ駆動用トランジスタ１１ａに対する、リセット期間３６１を電圧源のみで実現した場合（ａ）と、電流源を用いて実現した場合（ｂ）の映像信号書き込みと特性キャンセル期間３６２終了後の電流値の違いを示す。
【０１３０】
  図４０（ａ）では電圧源のみで駆動用トランジスタ１１ａの初期化を行っているため、４０１と４０２の特性を示す２つの画素の駆動用トランジスタ１１ａにおいて、ゲート電圧がＶｒｓｔとなるが、そのときの電流値はＩｒｓｔ１、Ｉｒｓｔ２と異なる値となる。４０１の特性では点４０３ａ、４０２の特性では点４０３ｂである。次に映像信号書き込みと特性キャンセル期間３６２において、駆動用トランジスタ１１ａのソース電位に映像信号が書き込まれゲート電位は、閾値キャンセル動作によりソース電位から閾値電圧分下がった点まで変化しようとする。変化に要する時間は１００μ秒程度かかるので、１水平走査期間では、十分にキャンセル電圧４０６にまで変化せず、４０５に示す点までの変化となる。電圧変化量は流れる電流と浮遊容量により決められ、電圧変化量ΔＶ＝ｉ×Ｔ／Ｃ（ここでｉ：流れる電流、Ｔ：キャンセル期間３６２の長さ、Ｃ：浮遊容量）であらわされ、４０３ａ点の方が、４０３ｂ点に比べて電流が多いことから、曲線４０１で示されるトランジスタの方が電位変化量が大きく、Ｖ２まで電圧が変化する。曲線４０２では、点４０３ｂでの電流が少ないため変化量が少なくなり、Ｖ１までしか電圧が変化しない。点４０５ａ及び４０５ｂでのドレイン電流がＩ２とＩ１で異なり、この差が表示ムラとして視認される可能性がある。一方で電流源を用いてリセットを実施した場合には、図４０（ｂ）に示すように、リセット期間３６１の終了時には、ドレイン電流がＩｒｓｔ、ゲート電圧が曲線４０１と４０２で異なり、Ｖｒｓｔ１、Ｖｒｓｔ２となる。（点４０４ａ、４０４ｂ）次に映像信号書き込みと特性キャンセル期間３６２においてキャンセルを行うと、流れる電流はＩｒｓｔと同じで、浮遊容量にばらつきがなく、キャンセル時間は同一パネルであることから同一に設定できるため、ΔＶは曲線４０１、４０２とも同一となり、それぞれ同一電位だけシフトしたＶ１及びＶ２の電圧となる。（点４０５ｃ、４０５ｄ）このときのドレイン電流はいずれもＩ１となり、駆動用トランジスタ１１ａの特性に違いがあったとしても特性キャンセル期間３６２終了後の書き込まれた電流値が同一となり、表示ムラがなくなる構成を実現できた。
【０１３１】
  
リセット期間で、一定電流により駆動用トランジスタ１１ａのゲート電圧を個別に設定することで、キャンセル期間が短いことにより駆動用トランジスタ１１ａのゲート電圧が完全に特性キャンセルされた電圧とずれたとしても、電流ばらつきが小さい構成を実現することができた。
「【０１３４】
  図３７の構成や、図３５の構成において、リセット線３１１に切り替え手段３３３を介して電流源３１２、電圧源３３１が接続されているが、
電圧源３１１がなくても、１水平走査期間以内に、電流源３１２によって、所定の初期化電位になるまで、駆動用トランジスタ１１ａのゲート電圧を変化させることができれば、電流源のみでリセット期間３６１を構成することができる。
「【図３５】駆動用トランジスタ１１ａの初期化電圧を特性ばらつきに応じて異ならせるための画素回路を示した図である。
【図３６】図３５の画素構成におけるゲート信号線１７、切り替え手段３３３、ソース信号線１８の入力パターンと、トランジスタ１１ａのゲート電圧、ＥＬ素子１５の動作を示した図である。」
　図３５におけるトランジスタ１１ｂ、１１ｃ、１１ｄ、１１ｅ、１１ｆがスイッチ用であることは明らかであるから、図３５には、
「画素１６が、駆動トランジスタ１１ａと、ＥＬ素子１５と、スイッチ用トランジスタ１１ｂ、１１ｃ、１１ｄ、１１ｅ及び１１ｆと、コンデンサ１９ａとを含み、
　駆動トランジスタ１１ａのゲート電極が、コンデンサ１９ａを介して、第１の電源電圧Ｖｄｄと接続され、また、スイッチ用トランジスタ１１ｂを介して、駆動トランジスタ１１ａのドレイン電極と接続され、さらに、スイッチ用トランジスタ１１ｆを介してリセット線３１１と接続され、
　コンデンサ１９ａは、上記接続により、スイッチ用トランジスタ１１ｆを介してリセット線３１１と接続され、
　駆動トランジスタ１１ａのソース電極が、スイッチ用トランジスタ１１ｃを介して、ソース信号線１８と接続され、また、スイッチ用トランジスタ１１ｅを介して、第１の電源電圧Ｖｄｄと接続され、
　駆動トランジスタ１１ａのドレイン電極が、さらに、スイッチ用トランジスタ電極１１ｄを介してＥＬ素子１５と接続され、
　リセット線３１１は、切り替え手段３３３を介して、電圧源３３１または電流源３１２と接続され、
　スイッチ用トランジスタ１１ｂのゲート電極は、ゲート信号線１７ｃに接続され、
　スイッチ用トランジスタ１１ｃのゲート電極は、ゲート信号線１７ａに接続され、
　スイッチ用トランジスタ１１ｄのゲート電極は、ゲート信号線１７ｂに接続され、
　スイッチ用トランジスタ１１ｅのゲート電極は、ゲート信号線１７ｅに接続され、
　スイッチ用トランジスタ１１ｆのゲート電極は、ゲート信号線１７ｄに接続された、
　画素回路。」が記載されている。
　図３６には、
「リセット期間（３６１）において、ゲート信号線１７ｄがＶＧＬ、ゲート信号線１７ｂがＶＧＨ、ゲート信号線１７ａがＶＧＨ、ソース信号線１８がＶｓ、ＥＬ素子１５が０であり、リセット期間（３６１）の前半の期間３６５において、ゲート信号線１７ｃがＶＧＨまたはＶＧＬ、ゲート信号線１７ｅがＶＧＨまたはＶＧＬ、切り替え手段３３３が電圧源、であり、リセット期間（３６１）の後半の期間３６６において、ゲート信号線１７ｃがＶＧＬ、ゲート信号線１７ｅがＶＧＬ、切り替え手段３３３が電流源、であり、
　映像信号書き込みと特性キャンセル期間（３６２）において、ゲート信号線１７ｄがＶＧＨ、ゲート信号線１７ｂがＶＧＨ、ゲート信号線１７ａがＶＧＬ、ソース信号線１８がＶｓ、ゲート信号線１７ｃがＶＧＬ、ゲート信号線１７ｅがＶＧＨ、ＥＬ素子１５が０であり、
　非発光期間（３６３ａ）において、ゲート信号線１７ｄがＶＧＨ、ゲート信号線１７ｂがＶＧＨ、ゲート信号線１７ａがＶＧＨ、ゲート信号線１７ｃがＶＧＨ、ゲート信号線１７ｅがＶＧＨ、ＥＬ素子１５が０であり、
　発光期間（３６４）において、ゲート信号線１７ｄがＶＧＨ、ゲート信号線１７ｂがＶＧＬ、ゲート信号線１７ａがＶＧＨ、ゲート信号線１７ｃがＶＧＨ、ゲート信号線１７ｅがＶＧＬ、ＥＬ素子１５がＢである、
　図３５の画素構成の動作。」
が記載されている。
　上記記載から、引用例には、次の技術的事項が記載されている。
ア　【請求項１】及び図３５より、
「ＥＬ素子を有する複数の画素が、縦横にマトリックス状に配置された表示画面を有するＥＬ表示装置において、
　画素１６が、駆動電流を前記ＥＬ素子に供給する駆動トランジスタ１１ａと、ＥＬ素子１５と、スイッチ用トランジスタ１１ｃ及び１１ｅと、コンデンサ１９ａとを有する。」
　との技術事項を読み取ることができる。
イ　 図３５には、「駆動トランジスタ１１ａのゲート電極が、コンデンサ１９ａを介して、第１の電源電圧Ｖｄｄと接続され」ることが記載されている。
ウ　段落【０１２４】及び図３６より、
「１画素において、１フレームは、リセット期間３６１、映像信号書き込みと特性キャンセル期間３６２、非発光期間３６３、発光期間３６４からなる。」
　との技術事項を読み取ることができる。
エ　段落【０１２４】、【０１２５】及び図３５，図３６より、
「駆動用トランジスタ１１ａのゲート電圧の初期化（リセット）を行う電源には、電圧源３３１、電流源３１２の２つがあり、電圧源３３１が印加されるリセット期間を期間３６５、電流源３１２が印加されるリセット期間を期間３６６とする。」との技術事項を読み取ることができる。
オ　段落【０１２５】に「リセット期間３６１のうちの期間３６５において」「ゲート信号線１７ｅ及び１７ｃによりトランジスタ１１ｅ及び１１ｂについては、オンでもオフでも構わない」と記載されているから、リセット期間３６１のうちの期間３６５において、ゲート信号線１７ｅによりスイッチ用トランジスタ１１ｅはオンでもオフでも構わず、駆動トランジスタ１１ａのソース電極に、第１の電源電圧Ｖｄｄが印加されても印加されなくてもよいことがわかる。
　よって、段落【０１２５】、【０１２６】及び図３５，図３６より、
「リセット期間３６１のうちの期間３６５において、電圧源３３１により駆動用トランジスタ１１ａのゲート電圧をＶｒｓｔに初期化するが、ゲート信号線１７ｅによりスイッチ用トランジスタ１１ｅはオンでもオフでも構わず、駆動トランジスタ１１ａのソース電極に、第１の電源電圧Ｖｄｄが印加されても印加されなくてもよい。」との技術事項を読み取ることができる。
カ　段落【００２５】に記載されているとおり、スイッチ用トランジスタ１１ｂ、１１ｃ、１１ｄ、１１ｅ、１１ｆは、ゲート信号線１７に印加されるオフ電圧（ＶＧＨ）の印加により、オフし、オン電圧（ＶＧＬ）の印加により、オンするものである。
　そして、図３５、図３６より、リセット期間３６１の後半の期間３６６において、ゲート信号線１７ｃがＶＧＬとなって、スイッチ用トランジスタ１１ｂがオンとなり、駆動トランジスタ１１ａがダイオード接続されていることがわかる。また、ゲート信号線１７ｅがＶＧＬとなって、スイッチ用トランジスタ１１ｅがオンとなり、駆動トランジスタ１１ａのソース電極に第１の電源電圧Ｖｄｄが印加されていることがわかる。
　よって、段落【００２５】、【０１２５】、【０１２６】及び図３５、図３６より、
「リセット期間３６１のうちの期間３６６において、電流源３１２により駆動用トランジスタ１１ａの初期化を行い、電流源３１２の電流が駆動用トランジスタ１１ａのドレイン電流となるように、駆動トランジスタ１１ａがダイオード接続され、ゲート信号線１７ｅがＶＧＬとなって、スイッチ用トランジスタ１１ｅがオンとなり、駆動トランジスタ１１ａのソース電極に第１の電源電圧Ｖｄｄが印加され、電流源３１２の電流値は、期間３６６において、駆動用トランジスタ１１ａのゲート電圧が電圧源３３１のＶｒｓｔ付近になるような電圧に設定することが好ましい。」
　との技術事項を読み取ることができる。 
キ　段落【０１３４】より、
「電圧源３１１がなくても、電流源３１２によって、所定の初期化電位になるまで、駆動用トランジスタ１１ａのゲート電圧を変化させることができれば、電流源のみでリセット期間３６１を構成することができる。」
との技術事項を読み取ることができる。 
ク　図３５、図３６より、映像信号書き込みと特性キャンセル期間３６２において、ゲート信号線１７ａがＶＧＬとなって、スイッチ用トランジスタ１１ｃがオンとなり、ソース信号線１８が駆動用トランジスタ１１ａのソース電極に接続されていることがわかる。また、スイッチ用トランジスタ１１ｂがオンであるから、このときの駆動用トランジスタ１１ａはダイオード接続されていることがわかる。そして段落【０１２６】には、「映像信号書き込みと特性キャンセル期間３６２においてソース信号線１８から映像信号が入力され、トランジスタ１１ｂがオン状態であり、トランジスタ１１ｆがオフ状態であることで、駆動用トランジスタ１１ａのゲート電圧は映像信号電圧をＶｓとするとＶｓ−Ｖｔｈ（Ｖｔｈは閾値電圧）となるまで変化」すると記載されているから、コンデンサ１９ａには、段落【００２４】の記載と同様に、「第１の電源電圧Ｖｄｄと駆動用トランジスタ１１ａのゲート電極に印加される電圧Ｖｓ−Ｖｔｈの電圧差に該当する電荷」が蓄積され、維持されることがわかる。
　よって、図３５、図３６、段落【０１２６】、【００２４】より、
「映像信号書き込みと特性キャンセル期間３６２において、ゲート信号線１７ａがＶＧＬとなって、スイッチ用トランジスタ１１ｃがオンとなり、ソース信号線１８が、ダイオード接続された駆動用トランジスタ１１ａのソース電極に接続され、ソース信号線１８から映像信号が入力され、ダイオード接続された駆動用トランジスタ１１ａのゲート電圧は映像信号電圧をＶｓとするとＶｓ−Ｖｔｈ（Ｖｔｈは閾値電圧）となるまで変化し、駆動用トランジスタ１１ａのゲート電圧は、コンデンサ１９ａで維持される。」
　との技術事項を読み取ることができる。
ケ　段落【００２５】に記載されているとおり、スイッチ用トランジスタ１１ｂ、１１ｃ、１１ｄ、１１ｅ、１１ｆは、ゲート信号線１７に印加されるオフ電圧（ＶＧＨ）の印加により、オフし、オン電圧（ＶＧＬ）の印加により、オンするものである。
　そして、図３５、図３６より、発光期間（３６４）において、ゲート信号線１７ｄがＶＧＨ、ゲート信号線１７ｂがＶＧＬ、ゲート信号線１７ａがＶＧＨ、ゲート信号線１７ｃがＶＧＨ、ゲート信号線１７ｅがＶＧＬであるから、図３５の画素回路において、スイッチ用トランジスタ１１ｄ、１１ｅがオン、他のスイッチ用トランジスタ１１ｂ、１１ｃ、１１ｆがオフであり、駆動トランジスタ１１ａによって、電源ＶｄｄからＥＬ素子１５に駆動電流が流れ、ＥＬ素子１５が発光していることがわかる。また、段落【００１９】に記載されているとおり、「駆動用トランジスタ１１ａは、ゲート電極に印加された電圧に相当する駆動電流を生成する」ものであるから、駆動トランジスタ１１ａは、映像信号書き込みと特性キャンセル期間（３６２）で書き込まれ、コンデンサ１９ａで維持されているゲート電圧Ｖｓ−Ｖｔｈ（Ｖｔｈは閾値電圧）に相当する駆動電流を生成しているといえる。
　よって、上記クを踏まえれば、段落【００１９】、【００２５】、図３５、図３６より、
「発光期間３６４において、駆動トランジスタ１１ａは、映像信号書き込みと特性キャンセル期間３６２で書き込まれコンデンサ１９ａで維持されているゲート電圧Ｖｓ−Ｖｔｈ（Ｖｔｈは閾値電圧）に相当する駆動電流を生成し、ＥＬ素子１５に流す。」
　との技術事項を読み取ることができる。
コ 【解決手段】及び、段落【０１３１】より、
「駆動用トランジスタ１１ａの初期化電圧を、トランジスタのゲート電圧−ドレイン電流特性に合わせて、異なる電圧を印加することで、キャンセル時間が短くても駆動用トランジスタの特性バラツキをキャンセルしやすくした。」
　との技術事項を読み取ることができる。
　上記ア〜コより、引用例には、次の発明（以下、「引用発明」という。）が記載されていると認められる。
「ＥＬ素子を有する複数の画素が、縦横にマトリックス状に配置された表示画面を有するＥＬ表示装置において、
　画素１６が、駆動電流を前記ＥＬ素子に供給する駆動トランジスタ１１ａと、ＥＬ素子１５と、スイッチ用トランジスタ１１ｃ及び１１ｅと、コンデンサ１９ａとを有し、
　駆動トランジスタ１１ａのゲート電極が、コンデンサ１９ａを介して、第１の電源電圧Ｖｄｄと接続され、
　１画素において、１フレームは、リセット期間３６１、映像信号書き込みと特性キャンセル期間３６２、非発光期間３６３、発光期間３６４からなり、
　駆動用トランジスタ１１ａのゲート電圧の初期化（リセット）を行う電源には、電圧源３３１、電流源３１２の２つがあり、電圧源３３１が印加されるリセット期間を期間３６５、電流源３１２が印加されるリセット期間を期間３６６とすると、
　リセット期間３６１のうちの期間３６５において、電圧源３３１により駆動用トランジスタ１１ａのゲート電圧をＶｒｓｔに初期化するが、ゲート信号線１７ｅによりスイッチ用トランジスタ１１ｅはオンでもオフでも構わず、駆動トランジスタ１１ａのソース電極に、第１の電源電圧Ｖｄｄが印加されても印加されなくてもよく、
　リセット期間３６１のうちの期間３６６において、電流源３１２により駆動用トランジスタ１１ａの初期化を行い、電流源３１２の電流が駆動用トランジスタ１１ａのドレイン電流となるように、駆動トランジスタ１１ａがダイオード接続され、ゲート信号線１７ｅがＶＧＬとなって、スイッチ用トランジスタ１１ｅがオンとなり、駆動トランジスタ１１ａのソース電極に第１の電源電圧Ｖｄｄが印加され、電流源３１２の電流値は、期間３６６において、駆動用トランジスタ１１ａのゲート電圧が電圧源３３１のＶｒｓｔ付近になるような電圧に設定することが好ましく、
　電圧源３１１がなくても、電流源３１２によって、所定の初期化電位になるまで、駆動用トランジスタ１１ａのゲート電圧を変化させることができれば、電流源のみでリセット期間３６１を構成することができ、
　映像信号書き込みと特性キャンセル期間３６２において、ゲート信号線１７ａがＶＧＬとなって、スイッチ用トランジスタ１１ｃがオンとなり、ソース信号線１８が、ダイオード接続された駆動用トランジスタ１１ａのソース電極に接続され、ソース信号線１８から映像信号が入力され、ダイオード接続された駆動用トランジスタ１１ａのゲート電圧は映像信号電圧をＶｓとするとＶｓ−Ｖｔｈ（Ｖｔｈは閾値電圧）となるまで変化し、駆動用トランジスタ１１ａのゲート電圧は、コンデンサ１９ａで維持され、
　発光期間３６４において、駆動トランジスタ１１ａは、映像信号書き込みと特性キャンセル期間３６２で書き込まれコンデンサ１９ａで維持されているゲート電圧Ｖｓ−Ｖｔｈ（Ｖｔｈは閾値電圧）に相当する駆動電流を生成し、ＥＬ素子１５に流し、
　駆動用トランジスタ１１ａの初期化電圧を、トランジスタのゲート電圧−ドレイン電流特性に合わせて、異なる電圧を印加することで、キャンセル時間が短くても駆動用トランジスタの特性バラツキをキャンセルしやすくした、
ＥＬ表示装置。」
　
５　対比
　本願発明と引用発明とを対比する。
ア　引用発明における「ＥＬ素子」は、引用例の段落【０００３】に記載されているとおり、ＯＬＥＤを含むから、本願発明における「有機発光ダイオード」に相当する。
イ　引用発明における「駆動トランジスタ１１ａ」は、「発光期間３６４において」、「映像信号書き込みと特性キャンセル期間３６２で書き込まれコンデンサ１９ａで維持されているゲート電圧Ｖｓ−Ｖｔｈ（Ｖｔｈは閾値電圧）に相当する駆動電流を生成し、ＥＬ素子１５に流」すから、本願発明における「前記有機発光ダイオードに伝達されたデータ信号による駆動電流を伝達する駆動トランジスタ」に相当する。
ウ　一般に、アクティブマトリクス方式の有機ＥＬパネル（引用例の段落【０００３】参照）において、ゲート信号線はスキャン信号線である（引用例の段落【００６５】参照。）から、引用発明の「ＥＬ素子を有する複数の画素が、縦横にマトリックス状に配置された表示画面を有するＥＬ表示装置」における「ゲート信号線１７ａ」は、スキャン信号線であって、本願発明の「第１走査信号」に相当する。
エ　引用発明では、「映像信号書き込みと特性キャンセル期間３６２」において、「ゲート信号線１７ａがＶＧＬとなって、スイッチ用トランジスタ１１ｃがオンとなり、ソース信号線１８が、ダイオード接続された駆動用トランジスタ１１ａのソース電極に接続され、ソース信号線１８から映像信号が入力され、ダイオード接続された駆動用トランジスタ１１ａのゲート電圧は映像信号電圧をＶｓとするとＶｓ−Ｖｔｈ（Ｖｔｈは閾値電圧）となるまで変化し、駆動用トランジスタ１１ａのゲート電圧は、コンデンサ１９ａで維持され」ている。
　よって、引用発明における「ソース信号線１８」から「入力され」、オンとなった「スイッチ用トランジスタ１１ｃ」を介して「駆動用トランジスタ１１ａ」に「映像信号」を伝えることが、本願発明における「データ信号を伝達する」ことに相当する。
　同様に、引用発明の「スイッチ用トランジスタ１１ｃ」は、「ゲート信号線１７ａ」に応じてオンとなり、「ソース信号線１８から」「入力され」た「映像信号」を、「駆動用トランジスタ１１ａ」に伝えているから、上記ウを踏まえると、本願発明における「第１走査信号に対応して前記駆動トランジスタに前記データ信号を伝達する第１トランジスタ」に相当するといえる。
オ　引用発明における「リセット期間３６１」では、「リセット期間３６１のうちの期間３６５において、電圧源３３１により駆動用トランジスタ１１ａのゲート電圧をＶｒｓｔに初期化」している。また、「リセット期間３６１のうちの期間３６６において、電流源３１２により駆動用トランジスタ１１ａの初期化を行」い、「駆動用トランジスタ１１ａの初期化電圧を、トランジスタのゲート電圧−ドレイン電流特性に合わせて、異なる電圧を印加」している。
　よって、引用発明における「リセット期間３６１」が、本願発明における「前記駆動トランジスタのゲート電極に初期化電圧を印加する初期化期間」に相当するといえる。
カ　上記ウで述べたおり、一般に、ゲート信号線はスキャン信号線であるから、引用発明における「ゲート信号線１７ｅ」が、本願発明における「第２走査信号」に相当する。
キ　引用発明における「スイッチ用トランジスタ１１ｅ」は、「リセット期間３６１のうちの期間３６５において」、「ゲート信号線１７ｅによりスイッチ用トランジスタ１１ｅはオンでもオフでも構わず、駆動トランジスタ１１ａのソース電極に、第１の電源電圧Ｖｄｄが印加されても印加されなくてもよく」、「リセット期間３６１のうちの期間３６６において」、「ゲート信号線１７ｅがＶＧＬとなって、スイッチ用トランジスタ１１ｅがオンとなり、駆動トランジスタ１１ａのソース電極に第１の電源電圧Ｖｄｄが印加され」ている。また、「リセット期間３６１のうちの期間３６６において、電流源３１２により駆動用トランジスタ１１ａの初期化を行い、電流源３１２の電流が駆動用トランジスタ１１ａのドレイン電流となるように、駆動トランジスタ１１ａがダイオード接続され、ゲート信号線１７ｅがＶＧＬとなって、スイッチ用トランジスタ１１ｅがオンとなり、駆動トランジスタ１１ａのソース電極に第１の電源電圧Ｖｄｄが印加され、電流源３１２の電流値は、期間３６６において、駆動用トランジスタ１１ａのゲート電圧が電圧源３３１のＶｒｓｔ付近になるような電圧に設定」している。よって、
（ア）引用発明の「リセット期間３６１のうちの期間３６５において」、「ゲート信号線１７ｅによりスイッチ用トランジスタ１１ｅ」が「オン」され、「駆動トランジスタ１１ａのソース電極に、第１の電源電圧Ｖｄｄが印加」されている場合、「リセット期間３６１のうちの期間３６６」において、「ゲート信号線１７ｅがＶＧＬとなって、スイッチ用トランジスタ１１ｅがオンとなり、駆動トランジスタ１１ａのソース電極に第１の電源電圧Ｖｄｄが印加され」ることと合わせて、「リセット期間３６１」中に「ゲート信号線１７ｅ」により「スイッチ用トランジスタ１１ｅ」が「オン」となり、「駆動トランジスタ１１ａのソース電極」に、「第１の電源電圧Ｖｄｄが印加され」ることになる。
　よって、引用発明における「スイッチ用トランジスタ１１ｅ」は、本願発明における「前記駆動トランジスタのゲート電極に初期化電圧を印加する初期化期間の間に、第２走査信号に対応して前記駆動トランジスタのソース電極に第１電源電圧を印加する第２トランジスタ」に相当するものといえる。
（イ）引用発明の「リセット期間３６１のうちの期間３６５において」、「ゲート信号線１７ｅによりスイッチ用トランジスタ１１ｅ」が「オン」されず、「駆動トランジスタ１１ａのソース電極に、第１の電源電圧Ｖｄｄが印加」されていない場合でも、引用発明の「リセット期間３６１」に代えて「リセット期間３６１のうちの期間３６６」が、本願発明における「初期化期間」に相当するものと考える（この場合、以下の「リセット期間３６１」を「リセット期間３６１のうち期間３６６」と読み替える。）か、あるいは、「電流源３１２によって、所定の初期化電位になるまで、駆動用トランジスタ１１ａのゲート電圧を変化させ」、「電流源のみでリセット期間３６１を構成」して、「駆動用トランジスタ１１ａの初期化電圧を、トランジスタのゲート電圧−ドレイン電流特性に合わせて、異なる電圧を印加する」構成を選択すれば、引用発明における「スイッチ用トランジスタ１１ｅ」は、「リセット期間３６１」の間に、「ゲート信号線１７ｅがＶＧＬとなって、スイッチ用トランジスタ１１ｅがオンとなり、駆動トランジスタ１１ａのソース電極に第１の電源電圧Ｖｄｄが印加され」ることになるから、本願発明における「前記駆動トランジスタのゲート電極に初期化電圧を印加する初期化期間の間に、第２走査信号に対応して前記駆動トランジスタのソース電極に第１電源電圧を印加する第２トランジスタ」に相当するものといえる。
（ウ）よって、（ア）および（イ）のいずれでの場合であっても、引用発明における「スイッチ用トランジスタ１１ｅ」は、本願発明における「前記駆動トランジスタのゲート電極に初期化電圧を印加する初期化期間の間に、第２走査信号に対応して前記駆動トランジスタのソース電極に第１電源電圧を印加する第２トランジスタ」に相当するものといえる。
ク　引用発明では、「駆動トランジスタ１１ａのゲート電極が、コンデンサ１９ａを介して、第１の電源電圧Ｖｄｄと接続され」ている。そして、コンデンサが第１電極と第２電極とで構成されることはいうまでもないことであるから、上記接続は、「駆動トランジスタ１１ａのゲート電極」が「コンデンサ１９ａ」の第１電極に接続され、「第１の電源電圧Ｖｄｄ」が「コンデンサ１９ａ」の第２電極に接続されていることを意味している。よって、引用発明における「コンデンサ１９ａ」が、本願発明における「前記駆動トランジスタのゲート電極に接続する第１電極及び前記第１電源電圧に接続する第２電極を含むキャパシタ」に相当する。
ケ　引用発明において、
（ア）上記「キ」「（ア）」の場合に、「リセット期間３６１のうちの期間３６５において、電圧源３３１により駆動用トランジスタ１１ａのゲート電圧をＶｒｓｔに初期化」し、「リセット期間３６１のうちの期間３６６において、電流源３１２により駆動用トランジスタ１１ａの初期化を行い」、「電流源３１２の電流値は、期間３６６において、駆動用トランジスタ１１ａのゲート電圧が電圧源３３１のＶｒｓｔ付近になるような電圧に設定する」こと、
あるいは、
（イ）上記「キ」「（イ）」の場合に、「電流源３１２によって、所定の初期化電位になるまで、駆動用トランジスタ１１ａのゲート電圧を変化させること」と、
　本願発明における「前記初期化期間中、前記駆動トランジスタのゲート−ソース電圧差を、前記駆動トランジスタが動作する基準電圧以上の電圧値とする」こととは、「前記初期化期間中、前記駆動トランジスタのゲート電圧を、初期化が可能な電圧値とする」点で共通する。
コ　引用発明における「画素」は、「駆動電流を前記ＥＬ素子に供給する駆動トランジスタ１１ａと、ＥＬ素子１５と、スイッチ用トランジスタ１１ｃ及び１１ｅと、コンデンサ１９ａとを有し」ているから、本願発明における「有機発光ダイオード；」「駆動トランジスタ；」「第１トランジスタ；」「第２トランジスタ；」及び「キャパシタを含」む「画素」に相当する。
　すると、本願発明と引用発明とは、次の点で一致する。
（一致点）
「有機発光ダイオード；
　前記有機発光ダイオードに伝達されたデータ信号による駆動電流を伝達する駆動トランジスタ；
　第１走査信号に対応して前記駆動トランジスタに前記データ信号を伝達する第１トランジスタ；
　前記駆動トランジスタのゲート電極に初期化電圧を印加する初期化期間の間に、第２走査信号に対応して前記駆動トランジスタのソース電極に第１電源電圧を印加する第２トランジスタ；及び
　前記駆動トランジスタのゲート電極に接続する第１電極及び前記第１電源電圧に接続する第２電極を含むキャパシタを含み、
　前記初期化期間中、前記駆動トランジスタのゲート−ソース電圧差を、初期化が可能な電圧値とする画素。」
　また、両者は、次の点で一応、相違する。
（一応の相違点）
　本願発明では、前記初期化期間中の前記駆動トランジスタのゲート−ソース電圧差を、「前記駆動トランジスタが動作する基準電圧以上の電圧値とする」のに対し、引用発明では、「駆動用トランジスタ１１ａのゲート電圧の初期化（リセット）」におけるゲート−ソース電圧差を、「駆動トランジスタが動作する基準電圧以上の電圧値とする」とは明記されていない点。
６　判断
　以下、一応の相違点について検討する。
ア　まず、引用例の段落【０１２５】には「図３６に示すようにリセット期間３６１のうちの期間３６５において、従来と同様に電圧源３３１により駆動用トランジスタ１１ａのゲート電圧をＶｒｓｔに初期化する。このときゲート信号線１７ｅ及び１７ｃによりトランジスタ１１ｅ及び１１ｂについては、オンでもオフでも構わないが、Ｖｄｄ電源からＶｒｓｔ電源に駆動用トランジスタ１１ａの特性により貫通電流が流れることを防止する観点から少なくとも一方のトランジスタについてはオフにすることが好ましい。」と記載されている。リセット期間３６１のうちの期間３６５において、トランジスタ１１ｅが「オン」となった場合には、駆動用トランジスタ１１ａのゲート−ソース電位差は、Ｖｄｄ電源（第１の電源電圧Ｖｄｄ）とＶｒｓｔ電源（電圧源３３１）との差電圧である、Ｖｒｓｔ−Ｖｄｄとなるが、このときトランジスタ１１ｂが「オン」となった場合には、上記段落【０１２５】の記載によれば、トランジスタ１１ｂがオンとなってダイオード接続とされた駆動用トランジスタ１１ａに「貫通電流」が流れるというのであるから、駆動用トランジスタ１１ａのゲート−ソース電位差（Ｖｒｓｔ−Ｖｄｄ）は、駆動用トランジスタ１１ａがダイオード接続とされた場合に「貫通電流」が流れる電圧、すなわち、駆動用トランジスタ１１ａが動作する基準電圧以上の電圧に設定されている。
イ　また、「リセット期間３６１のうちの期間３６６」では、「ゲート信号線１７ｅがＶＧＬとなって、スイッチ用トランジスタ１１ｅがオンとなり、駆動トランジスタ１１ａのソース電極に第１の電源電圧Ｖｄｄが印加され」、「ダイオード接続され」た「駆動トランジスタ１１ａ」に「電流源３１２の電流」が「ドレイン電流」として流れているのであるから、駆動トランジスタ１１ａのゲート−ソース電位差（Ｖｒｓｔ付近になるような電圧−Ｖｄｄ）は、「駆動用トランジスタ１１ａの初期化電圧を、トランジスタのゲート電圧−ドレイン電流特性に合わせて、異なる電圧を印加」しているとしても、「駆動トランジスタ１１ａ」に「ドレイン電流」が流れる電圧、すなわち、駆動用トランジスタ１１ａが動作する基準電圧以上に設定されていることは明らかである。
ウ　さらに、「電流源３１２によって、所定の初期化電位になるまで、駆動用トランジスタ１１ａのゲート電圧を変化させ」、「電流源のみでリセット期間３６１を構成する」場合にも、同様に、「駆動トランジスタ１１ａ」に「電流源３１２の電流」が「ドレイン電流」として流れているのであるから、駆動トランジスタ１１ａのゲート−ソース電位差は、「駆動用トランジスタ１１ａの初期化電圧を、トランジスタのゲート電圧−ドレイン電流特性に合わせて、異なる電圧を印加」しているとしても、駆動トランジスタ１１ａに「ドレイン電流」が流れる電圧、すなわち、駆動用トランジスタ１１ａが動作する基準電圧以上に設定されていることは明らかである。
エ　よって、上記「５　対比」「キ」の（ア）および（イ）のいずれの場合にあっても、「リセット期間３６１」中において、駆動トランジスタ１１ａのゲート−ソース電位差は、駆動トランジスタ１１ａに「ドレイン電流」が流れる（「５　対比」「キ」の（ア）の場合にあっては、駆動トランジスタ１１ａがダイオード接続された場合に貫通電流が流れることとなる）電圧値、すなわち、駆動用トランジスタ１１ａが動作する基準電圧以上の電圧値に設定されていることは明らかである。
オ　よって、上記一応の相違点に係る本願発明の構成は、引用発明が備えている構成であるから、本願発明と引用発明との間に相違点はない。
カ　したがって、本願発明は、引用例に記載された発明であるから、特許法第２９条第１項第３号に該当し、特許を受けることができないものである。
７　請求人の主張につて
　請求人は、審判請求書 「【本願発明が特許されるべき理由】」「５．理由２、理由３について」 において、「本願発明によれば、明細書の段落［００６５］にも記載されていますように、初期化期間の間の駆動トランジスタのゲート−ソース電圧差（Ｖｇｓ）が基準電圧以上であるので、駆動トランジスタ（Ｍｄ）はオンバイアスされ、全ての画素の駆動トランジスタ（Ｍｄ）が、このような動作によってオンバイアスされた状態で、データ電圧が駆動トランジスタに書き込まれるので、ヒステリシス特性を改善することができるという格別な効果を奏します。 
　これに対して、引用文献１には、オフセットキャンセル動作を行う前の、駆動用トランジスタの初期化電圧を、トランジスタのゲート電圧−ドレイン電流特性に合わせて、異なる電圧を印加することが記載されています。・・・（途中省略）・・・しかしながら、引用文献１、２には、初期化期間中、駆動トランジスタのゲート−ソース電圧差を、駆動トランジスタが動作する基準電圧以上の電圧値とする構成についても一切記載も示唆もしていません。」と主張している。
　しかし、引用文献１が、オフセットキャンセル動作を行う前の、駆動用トランジスタの初期化電圧として、トランジスタのゲート電圧−ドレイン電流特性に合わせて、異なる電圧を印加しているとしても、その印加電圧が、駆動トランジスタ１１ａに「ドレイン電流」が流れる電圧、すなわち、駆動用トランジスタ１１ａが動作する基準電圧以上であることは、上記「６　判断」「イ」で述べたとおりである。
　よって、引用発明においても、駆動トランジスタ１１ａは、リセット期間中（初期化期間中）、オンバイアスされているから、本願発明と同じ作用効果を奏するものと認められる。
　従って、請求人の主張は採用できない。
８　小括
　以上のとおり、本願のその余の請求項について論及するまでもなく、本願は拒絶すべきものである。
　なお、平成２７年１２月９日付けの補正は、請求項の削除及び明瞭でない記載の釈明を目的とするものであるとして判断したが、請求人が審判請求書の 「【本願発明が特許されるべき理由】」「４．理由１について」において、「「初期化電圧」につきましては、同日付けで提出しました手続補正書により、「初期化期間中、駆動トランジスタのゲート−ソース電圧差を、駆動トランジスタが動作する基準電圧以上の電圧値とする」ことを
限定
　本件補正後の請求項１１に係る発明は、上述したとおり、引用例に記載された発明であるから、特許法第２９条第１項第３号に該当し、独立して特許を受けることができないものである。
　そのため、本件補正は、特許法第１７条の２第６項において準用する同法第１２６条第７項の規定に違反するので、同法第１５９条第１項の規定において読み替えて準用する同法第５３条第１項の規定により却下すべきものである。
　すると、本願の特許請求の範囲の請求項１ないし２９に係る発明は、平成２７年３月２４日付け手続補正書により補正された特許請求の範囲の請求項１ないし２９に記載された事項により特定されるとおりのものであるところ、その請求項１２を引用する請求項１３に係る発明（以下、「請求項１３に係る発明」という。）は、上記「２」「（１）」「ア」（独立形式で記載すれば、上記「２」「（２）」「ア」）に記載したとおりのものである。
　そして、本願の（本件補正前の）請求項１３に係る発明の構成要件を全て含み、さらに他の要件を付加したものに相当する本件補正後の請求項１１に係る発明が、上記「５　対比」、「６　判断」で述べたおり、引用例に記載された発明であることから、本願の（本件補正前の）請求項１３に係る発明も、同様な理由により、引用例に記載された発明である。
　よって、本願の（本件補正前の）請求項１３に係る発明は、特許法第２９条第１項第３号に該当し、特許を受けることができないものである。
　したがって、本願の（本件補正前の）その余の請求項について論及するまでもなく、本願は拒絶すべきものである。
９　まとめ
　以上のとおり、 本願は拒絶すべきものである。
　よって、結論のとおり審決する。